(57)【特許請求の範囲】
【請求項１】
入力される画像を表示する矩形の表示画面を有するディスプレイ部と、
前記表示画面の少なくとも１辺の近傍に設けられ、複数のセンシングエリアを有するタッチセンサと、
各センシングエリアの制御の内容を示すアイコン画像を格納するメモリ部と、
前記表示画面内であって、前記各センシングエリアの近傍に、対応するセンシングエリアの制御の内容を示す前記アイコン画像をそれぞれ表示する制御部と、
前記ディスプレイ部を回動する回動部と、
前記回動部による前記ディスプレイ部の回動の方向を検出する方向センサとを備え、
前記制御部は、前記方向センサが検出した前記ディスプレイ部の回動の方向に応じて、前記ディスプレイ部の前記表示画面に表示する画像の表示の向きを変更させる制御を行うとともに、その表示の向きを変更させる制御をした場合であっても、前記表示画面内の前記各センシングエリアの近傍に、対応するセンシングエリアの制御の内容を示す前記アイコン画像をそれぞれ表示する表示制御を行う
ことを特徴とする表示装置。
【請求項２】
入力される画像を表示する矩形の表示画面を有するディスプレイ部と、
前記表示画面の１つの辺の近傍に設けられ、複数のセンシングエリアを有する第１のタッチセンサと、前記表示画面の前記１つの辺に対向しない他の１つの辺の近傍に設けられ、複数のセンシングエリアを有する第２のタッチセンサと、
前記第１及び第２のタッチセンサそれぞれの各センシングエリアの制御の内容を示すアイコン画像を格納するメモリ部と、
前記表示画面内であって、前記第１及び第２のタッチセンサそれぞれの前記各センシングエリアの近傍に、対応するセンシングエリアの制御の内容を示す前記アイコン画像をそれぞれ表示する制御部と、
前記ディスプレイ部を回動する回動部と、
前記回動部による前記ディスプレイ部の回動の方向を検出する方向センサとを備え、
前記制御部は、前記方向センサが検出した前記ディスプレイ部の回動の方向に応じて、前記ディスプレイ部の前記表示画面に表示する画像の表示の向きを変更させる制御を行うとともに、その表示の向きを変更させる制御をした場合であっても、前記表示画面内の前記各センシングエリアの近傍に、対応するセンシングエリアの制御の内容を示す前記アイコン画像をそれぞれ表示する表示制御を行う
ことを特徴とする表示装置。
【請求項３】
前記制御部はさらに、入力される画像のアスペクト比に基づいて前記メモリ部が格納しているアイコン画像を、前記表示画面内の前記タッチセンサの、対応する前記センシングエリアの近傍に表示する表示制御を行う
ことを特徴とする請求項１又は請求項２に記載の表示装置。
【発明の詳細な説明】
【技術分野】
【０００１】
本発明は、表示装置に関し、特にタッチセンサ入力装置を備えた表示装置に関する。
【背景技術】
【０００２】
ビデオカメラには、ディスプレイが備えられており、このディスプレイを利用して撮像する画像の表示や撮像した画像の再生画像の表示、ビデオカメラの機能設定時の表示等が行なわれる。
【０００３】
従来、このディスプレイの操作を行う操作ボタンは、ディスプレイの表示画面周辺にその機能が印刷表示された操作ボタンが配置されていた。しかしながらこの方法では、配置された操作ボタンは特定の機能や操作でしか使用することができず、操作ボタンの数に限りがあるため、ディスプレイの表示画面周辺にモード切り替えスイッチとディスプレイの表示画面上に画面を透視できるタッチパネルを設け、多種な機能に対応した操作入力が可能なビデオカメラが提案されている。（例えば、特許文献１参照。）
【０００４】
しかしながら、特許文献１のようにディスプレイの表示画面に直接指で触れるタイプのタッチパネルを用いると、操作の際に指がタッチパネルを触れる必要があり、指でディスプレイの表示画面を隠してしまうため、表示視認性が悪化する、ディスプレイの表示画面の汚れなどの問題がある。これらの問題を解決するため、ディスプレイの表示画面周辺に操作ボタンを設け、その操作ボタンに付与する機能を各操作ボタンに隣接するディスプレイの表示画面位置に表示させるカメラが提案されている。（例えば、特許文献２参照。）
【０００５】
【特許文献１】特開２０００−２２９９９号公報
【特許文献２】特開２００４−１７０５７０号公報
【発明の開示】
【発明が解決しようとする課題】
【０００６】
近年、図１２に示すように、ビデオカメラ１２０のカメラ筐体１２０ａの側面にディスプレイ１２８が設けられたビデオカメラ１２０が、実用化されている。このビデオカメラ１２０においては、このカメラ筐体１２０ａの側面に開口凹部１２１が設けられ、この開口凹部１２１内に設けられたヒンジ機構１２２によりディスプレイ１２８が、カメラ筐体１２０ａの側面に対して平行な第１の回動軸を中心として回動可能であると共に、カメラ筐体１２０ａの側面に対して第１の回動軸に直交する第２の回転軸を中心として回動可能に取り付けられている。
【０００７】
従って、このビデオカメラ１２０で撮像するときには（録画モード）、ディスプレイ１２８を第１の回動軸を中心に回動させることにより、このディスプレイの表示画面１２８ｂをカメラ筐体１２０ａの側面に対してある角度をもたせることができ、撮像画面１２８ｂをこの表示画面で表示させることにより、ユーザは、撮像画面を観察することができる。しかも、このようにディスプレイ１２８を第１の回動軸を中心に回動させた状態で、さらに、ディスプレイ１２８を第２の回動軸を中心に回動させることにより、その表示画面１２８ｂを斜め上向き、あるいは斜め下向きにすることができ、また、撮像レンズ側にまで回動させることにより被写体に撮像画像を観察させたり、自画像を撮像する際は、撮像画像を観察することができ、ユーザが見易い状態にディスプレイ１２８の表示画面１２８ｂを設定することができる。
【０００８】
また、このビデオカメラ１２０で撮像した画像を観賞するときには（再生モード）、ディスプレイ１２８を第１の回動軸を中心に回動させ、さらに、ディスプレイ１２８を第２の回動軸を中心に回動させ、その表示画面１２８ｂをユーザ側に向けた状態でディスプレイ１２８を筐体１２０ａの側面の開口凹部１２１に格納して、ユーザが見易い状態で再生画像をディスプレイ１２８の表示画面１２８ｂに表示することができる。
【０００９】
ところで、このようなディスプレイの表示画面がビデオカメラの筐体に対して、種々の角度、方向をとることができるビデオカメラにおいては、操作ボタン、あるいは、その近傍に操作ボタンの機能、名称等が印刷されていると、ユーザが見易い状態にディスプレイの表示画面を設定した場合、操作ボタンの表示方向がディスプレイの表示画面に対応せず操作性が悪いという問題があった。
【００１０】
また、操作ボタンが予め決められた位置に配置されていると、ユーザが見易い状態にディスプレイの表示画面を設定した場合、操作ボタンの配置位置自体が、操作性の悪いものになってしまうという問題があった。
【００１１】
本発明は、以上の点に鑑みてなされたもので、ディスプレイの表示画面が見やすく、操作性のよい表示装置を提供することを目的とする。
【課題を解決するための手段】
【００１２】
本発明は、上記課題を解決するために、以下１）〜４）に記載の手段よりなる。
１）入力される画像を表示する矩形の表示画面を有するディスプレイ部と、
前記表示画面の少なくとも１辺の近傍に設けられ、複数のセンシングエリアを有するタッチセンサと、
各センシングエリアの制御の内容を示すアイコン画像を格納するメモリ部と、
前記表示画面内であって、前記各センシングエリアの近傍に、対応するセンシングエリアの制御の内容を示す前記アイコン画像をそれぞれ表示する制御部と、
前記ディスプレイ部を回動する回動部と、
前記回動部による前記ディスプレイ部の回動の方向を検出する方向センサとを備え、
前記制御部は、前記方向センサが検出した前記ディスプレイ部の回動の方向に応じて、前記ディスプレイ部の前記表示画面に表示する画像の表示の向きを変更させる制御を行うとともに、その表示の向きを変更させる制御をした場合であっても、前記表示画面内の前記各センシングエリアの近傍に、対応するセンシングエリアの制御の内容を示す前記アイコン画像をそれぞれ表示する表示制御を行う
ことを特徴とする表示装置。
２）入力される画像を表示する矩形の表示画面を有するディスプレイ部と、
前記表示画面の１つの辺の近傍に設けられ、複数のセンシングエリアを有する第１のタッチセンサと、前記表示画面の前記１つの辺に対向しない他の１つの辺の近傍に設けられ、複数のセンシングエリアを有する第２のタッチセンサと、
前記第１及び第２のタッチセンサそれぞれの各センシングエリアの制御の内容を示すアイコン画像を格納するメモリ部と、
前記表示画面内であって、前記第１及び第２のタッチセンサそれぞれの前記各センシングエリアの近傍に、対応するセンシングエリアの制御の内容を示す前記アイコン画像をそれぞれ表示する制御部と、
前記ディスプレイ部を回動する回動部と、
前記回動部による前記ディスプレイ部の回動の方向を検出する方向センサとを備え、
前記制御部は、前記方向センサが検出した前記ディスプレイ部の回動の方向に応じて、前記ディスプレイ部の前記表示画面に表示する画像の表示の向きを変更させる制御を行うとともに、その表示の向きを変更させる制御をした場合であっても、前記表示画面内の前記各センシングエリアの近傍に、対応するセンシングエリアの制御の内容を示す前記アイコン画像をそれぞれ表示する表示制御を行う
ことを特徴とする表示装置。
３）前記制御部はさらに、入力される画像のアスペクト比に基づいて前記メモリ部が格納しているアイコン画像を、前記表示画面内の前記タッチセンサの、対応する前記センシングエリアの近傍に表示する表示制御を行う
ことを特徴とする請求項１又は請求項２に記載の表示装置。
【発明の効果】
【００１３】
本発明の表示装置によれば、回動可能に取り付けられたディスプレイを有し、そのディスプレイの回動方向を検出し、ディスプレイの回動方向に基づいて第１のタッチセンサと第２のタッチセンサとのそれぞれの複数のセンシングエリアに対応した位置に複数のアイコンを表示させることができるので、ディスプレイの表示画面の角度や方向をユーザが見易い状態に設定した場合にも、操作ボタンの表示位置や配置により操作性が悪くなるという従来技術の問題点も解消され利便性のよい表示装置を提供することができる。
【００１４】
また、アスペクト比が異なる複数の方式の映像信号を表示する場合であっても、そのアスペクト比と、ディスプレイの回動方向と、に基づいて前記第１のタッチセンサと前記第２のタッチセンサとのそれぞれ前記複数のセンシングエリアに対応した前記表示画面の位置に前記複数のアイコンを表示させることができるので、同じく従来技術の問題点も解消され利便性のよい表示装置を提供することができる。
【発明を実施するための最良の形態】
【００１５】
以下、本発明に係る表示装置を実施するための最良の形態につき、表示装置を備えたビデオカメラを実施例として説明する。
【００１６】
図１は、本実施例に適用されるビデオカメラ１の構成を示すブロック図である。同図に示すように、ビデオカメラ１は、光学系２、画像処理部３、カメラ部４、メモリスロット５、ＨＤＤ（Hard Disk Drive）６、映像インターフェース（Ｉ／Ｆ）７、ディスプレイ８、ディスプレイの方向センサ８ａ、外部入出力端子９、ＣＰＵ（Central Processing Unit）１０、動画処理部１１、画像処理部に用いるＳＤＲＡＭ（Synchronous Dynamic Random Access Memory）１２ａ、動画処理部に用いられるＳＤＲＡＭ１２ｂ、縦軸タッチセンサ１３ａ、横軸タッチセンサ１３ｂ、ＥＥＰＲＯＭ（Electrical Erasable Programmable Read Only Memory）１４から構成される。
【００１７】
縦軸タッチセンサ１３ａは、ディスプレイ８の表示画面の１つの辺（縦軸方向の辺）の近傍に設けられ、横軸タッチセンサ１３ｂは、縦軸タッチセンサ１３ａが設けられたディスプレイ８の表示画面の１つの辺（縦軸方向の辺）に対向しない他の１つの辺（横軸方向の辺）の近傍に設けられる。
まず、ビデオカメラ１の撮影時（記録時）の映像信号に関する動作について説明する。
図１において、撮像レンズからなる光学系２から入来した撮像光は、カメラ部４に備えられた撮像素子で光電変換され映像信号を得た後、その映像信号を画像処理部３に出力する。画像処理部３は供給された信号をデジタル信号に変換すると共に、静止画記録モードである場合は、静止画記録方式に基づいてエンコードした後、記録媒体であるＨＤＤ６、あるいは、メモリスロット５に挿入されている半導体メモリに記録する。動画記録モードの場合は、変換したデジタル信号を動画処理部１１に供給する。
【００１８】
動画処理部１１は、供給されたデジタル信号を動画記録方式に基づいてエンコードした後、画像処理部３に出力する。画像処理部３は供給されたエンコード処理をした動画像を記録媒体であるＨＤＤ６、あるいは、メモリスロット５に挿入されている半導体メモリに記録する。また、静止画、動画いずれの場合も、画像処理部３は、変換したデジタル信号を映像Ｉ／Ｆ７に供給する。
【００１９】
次に、ビデオカメラ１の再生時の映像信号に関する動作について説明する。
図１において、撮像され記録された映像、あるいは、メモリスロットの導体メモリに記録された映像を再生する場合、選択された記録媒体から記録映像信号を読み出し、画像処理部３に出力する。その映像信号が静止画の場合は、画像処理部３においてデコードを行いその映像信号を映像Ｉ／Ｆ７に供給する。動画像の場合は、読み出した映像信号を動画処理部１１に供給する。動画処理部１１は、供給された動画映像信号のデコードを行った後、画像処理部３に出力する。画像処理部３は、その映像信号を映像Ｉ／Ｆ７に供給する。
【００２０】
ビデオカメラ１は、外部入出力端子９を備えており、外部入力が選択されている場合、映像Ｉ／Ｆ７を介してビデオカメラ１の記録映像信号、あるいは、再生映像信号を、外部入出力端子９に接続された外部機器に出力する。また、外部入出力端子９に接続された外部機器からの入力を記録、表示可能なように構成されている。外部入出力端子９に接続された外部機器に対する映像信号は、上述したように映像Ｉ／Ｆ７を介して画像処理部３に入力、あるいは、画像処理部３から出力される。なお、画像処理部３から後の処理は、ビデオカメラ１の記録時、再生時の動作と同様である。
【００２１】
ビデオカメラ１は、ディスプレイ８を備えており、上述の記録時、再生時の映像信号、外部機器が接続されている場合の映像信号、また、ビデオカメラ１の機能設定のメニュー画面等を表示する。表示する内容が映像信号である場合は画像処理部３から供給される映像信号を、外部機器からの映像信号の場合は外部入力端子９から供給される信号を、映像Ｉ／Ｆ７でディスプレイ８の表示信号方式に変換してディスプレイ８へ供給する。その際、ディスプレイ８の方向を方向センサ８ａにより検出し、ディスプレイ８の向きに応じて、縦軸タッチセンサ１３ａ、横軸タッチセンサ１３ｂ、センシングエリアを切り替え、ＥＥＰＲＯＭ１４よりメニューアイコン、機能アイコンを読み出しセンシングエリアに合致したディスプレイ８上の位置に重畳して表示させる。
なお、画像処理部３は、カメラ部４から供給された撮像信号に基づきカメラ部４の露出を決定する等の制御も行う。上述の各ブロックの制御は、ＣＰＵ１０が行っている。
【００２２】
ビデオカメラ１の形状、ディスプレイ８を説明する。図２は、本発明実施例におけるビデオカメラの外観の一例を示す図である。同図に示すように、ビデオカメラ１のカメラ筐体２ｄの側面に縦軸タッチセンサ１３ａ，横軸タッチセンサ１３ｂを有するディスプレイ８が設けられている。ビデオカメラ１においては、このカメラ筐体２ｄの側面に開口凹部２ｃが設けられ、この開口凹部２ｃ内に設けられたヒンジ機構２ｅによりディスプレイ８が、カメラ筐体２ｄの側面に対して平行な第１の回動軸２ｂを中心として回動可能であると共に、カメラ筐体２ｄの側面に対して第１の回動軸２ｂに直交する第２の回転軸２ａを中心として回動可能に取り付けられている。
【００２３】
＜実施例１＞
ディスプレイ８の表示形態の正常状態、反転状態に基づいて操作性を向上させる実施例１について説明する。
まず、ディスプレイ８の表示形態について詳細に説明する。図３（ａ）は、ディスプレイ８が通常状態の位置にあるときの表示形態の一例を示す図である。ここで、通常状態について説明する。本発明が解決しようとする課題で述べたように、ビデオカメラ１は、そのカメラ筐体２ｄの側面にディスプレイ８が設けられたビデオカメラである。このビデオカメラ１においては、このカメラ筐体２ｄの側面にディスプレイ８を未使用時に収納するための開口凹部２ｃが設けられ、この開口凹部２ｃ内に設けられたヒンジ機構２ｅによりディスプレイ８が、カメラ筐体２ｄの側面に対して平行な第１の回動軸２ｂを中心として回動可能であると共に、カメラ筐体２ｄの側面に対して第１の回動軸２ｂに直交する第２の回転軸２ａを中心として回動可能に取り付けられている。通常状態とは、ユーザがビデオカメラ１を構え、ヒンジ機構２ｅによりディスプレイ８をカメラ筐体２ｄの側面に対して第１の回動軸２ｂを中心として回動して、ディスプレイ８の表示画面８ｂをユーザ側に向けている状態である。なお、ディスプレイ８を回動させる機構は、ヒンジ機構２ｅに限らず、同様の機能を有する他の回動機構でもよい。また、ディスプレイ８は、カメラ筐体２ｄの側面に限らず、カメラ筐体２ｄの他の一面に設けられてもよい。
【００２４】
図３（ａ）は、表示形態の一例を示すものであり、同図に示すように、ディスプレイ８は、縦軸タッチセンサ１３ａ、横軸タッチセンサ１３ｂを備えており、縦軸タッチセンサ１３ａは、ディスプレイ８の表示画面８ｂの左側の縦軸方向の辺の近傍に設けられ、横軸タッチセンサ１３ｂは、ディスプレイ８の表示画面８ｂの下側の横軸方向の辺の近傍に設けられている。この例の場合、機能アイコン２８ａ，２８ｂ，２８ｃ，２８ｄ，２８ｆ，２８ｇ，２８ｈ，２８ｉ，２８ｊが表示され、その機能アイコン２８ａ，２８ｂ，２８ｃ，２８ｄ，２８ｆ，２８ｇ，２８ｈ，２８ｉ，２８ｊに対応して、縦軸タッチセンサ１３ａ、横軸タッチセンサ１３ｂにセンシングエリアＳＴ１，ＳＴ２，ＳＴ３，ＳＴ４，ＳＴ６，ＳＴ７，ＳＴ８，ＳＴ９，ＳＴ１０が設けられている。なお、説明のため、各センシングエリアが縦軸タッチセンサ１３ａ、横軸タッチセンサ１３ｂの範囲より大きく波線で図示してあるが、センシングエリアは縦軸タッチセンサ１３ａ、横軸タッチセンサ１３ｂ上に設定されている。
【００２５】
図３（ａ）は、表示形態の一例であり、例えば、機能設定メニュー画面を想定した場合、横長のアイコンにして機能の説明を表示する場合が多く、横軸タッチセンサ１３ｂに対応した機能アイコン２８ｆ，２８ｇ，２８ｈ，２８ｉ，２８ｊは表示せず、代わりに縦軸タッチセンサ１３ａのセンシングエリアＳＴ１，ＳＴ２，ＳＴ３，ＳＴ４，ＳＴ５を全て用いて上下方向にセンシングエリアＳＴ１〜ＳＴ５に対応した機能アイコンを５種類表示する表示形態としてもよい。
【００２６】
縦軸タッチセンサ１３ａ，横軸タッチセンサ１３ｂのセンシングは、操作する機能に応じて縦軸タッチセンサ１３ａ、横軸タッチセンサ１３ｂのセンシングエリアＳＴ１〜ＳＴ１０に触れる、または、一定時間以上長く触れるという接触時間の違いを検出して操作を行うようにしてもよい。また、縦軸タッチセンサ１３ａ、横軸タッチセンサ１３ｂのセンシングエリアＳＴ１〜ＳＴ５、または、センシングエリアＳＴ６〜ＳＴ１０を上下、左右に順次触れる、いわゆるなぞる操作を検出するように構成して、対応するものを、表示画面８ｂ上で上下左右に移動させる操作を行うようにしてもよい。
【００２７】
次に、図３（ｂ）を用いて、ディスプレイ８が反転状態の位置にあるときの表示形態を説明する。図３（ｂ）は、図３（ａ）に示したディスプレイ８の表示形態をそのまま反転状態の位置に切り替えた場合の表示形態の一例を示す図である。ここで、反転状態について説明する。上述の通常状態の位置から、第２の回転軸２ａを中心として回動させ、通常状態とはディスプレイ８の天地が逆転した状態を反転状態とする。すなわち、ユーザがビデオカメラ１を構え、ヒンジ機構２ｅによりディスプレイ８を第１の回動軸２ｂを中心として回動した後、第２の回動軸２ａを中心として回動させた状態であり、ディスプレイ８の表示画面８ｂを光学系２側に向けている状態である。また、再生状態では、さらにディスプレイ８をビデオカメラ１のカメラ筐体２ｄの側面の開口凹部２ｃに戻した（収納した）状態である。
通常状態、反転状態における第２の回転軸２ａの角度であるが、ここでは、ディスプレイ８を第１の回動軸２ｂを中心として回動した直後の角度を第２の回転軸２ａの角度０度として、時計回り方向を＋、反時計回り方向を−として定義する。ディスプレイ８の回転範囲は−９０度から＋１８０度であるものとする。−９０度から＋９０度の範囲を通常状態、＋９０度から＋１８０度の範囲を反転状態とする。
【００２８】
図３（ｂ）は、ディスプレイ８を通常状態から、機能アイコン２８ａ〜２８ｄ，２８ｆ〜２８ｊの表示位置がセンシングエリアＳＴ１〜ＳＴ４，ＳＴ６〜ＳＴ１０の対応どおりに反転状態の位置に切り替えた状態を示している。説明のため、機能アイコン２８ａ〜２８ｄ，２８ｆ〜２８ｊの表示文字は上下逆転して記載している。
【００２９】
この反転状態の位置に切り替えた場合には、映像信号をユーザに対して反転して上下左右を合致させてディスプレイ８の表示画面８ｂに表示させている。図３（ｂ）から分かるように、機能設定メニュー画面も映像は上下左右が逆になり、通常状態の機能アイコンの配置のままであると、機能設定メニュー画面と縦軸タッチセンサ１３ａ、横軸タッチセンサ１３ｂのセンシングエリアＳＴ１〜ＳＴ１０とが合致しなくなる。
【００３０】
ここで、図４〜図７を用いて、ビデオカメラ１が再生状態であるときを例にとり、本実施例の表示形態を説明する。図４に、通常状態でのディスプレイ８の表示例を示す。図７は、ビデオカメラ１の動作を説明するためのフローチャートの１例である。ビデオカメラ１を構え、ヒンジ機構によりディスプレイ８を第１の回動軸２ｂを中心として回動して、ディスプレイ８の表示画面８ｂをユーザ側に向ける。ビデオカメラ１の電源ＯＮにし、再生モードにする（ステップＳ０１，ステップＳ０２）。
【００３１】
次に、ディスプレイ８の方向センサ８ａにより、ディスプレイ８が反転状態か否かを検出する（ステップＳ０３）。ディスプレイ８が反転状態でなければ（ステップＳ０３ＮＯ）、図４に示すような、通常状態でのディスプレイ８の表示画面８ｂ、縦軸タッチセンサ１３ａ、横軸タッチセンサ１３ｂのセンシングエリアを表示させる（ステップＳ０５）
【００３２】
図４に示すように、撮像した画像ファイルが複数ある場合は、表示画面８ｂには再生動画像のサムネイル画像■，■，■，■、■，■，■，■，■が表示される。表示画面
８ｂから縦軸タッチセンサ１３ａに触れて指を上下させて、表示カーソル８ｃを再生したい画像ファイルに動かす（ステップＳ０６）。再生決定キー（アイコン２８ｉ）ＳＴ８の押下で、再生するサムネイル画像を決定する。
【００３３】
再生決定キー（アイコン２８ｉ）ＳＴ８の押下で（ステップＳ０７）、再生が開始されると表示画面８ｂは、図５に示すような再生画面となる。図５は、ディスプレイ８が通常状態の表示画面８ｂを示したものである。図５に示すように、アイコン２８ｃは、ＳＴ３に停止機能を、アイコン２８ａは、ＳＴ１にチャプター戻し機能を、アイコン２８ｂは、ＳＴ２にチャプター送り機能を、アイコン２８ｇは、ＳＴ７に早戻し機能を、アイコン２８ｈは、ＳＴ８に一時停止機能を、アイコン２８ｉは、ＳＴ９に早送り機能を割り振られている。再生中アイコンの操作を行い、アイコン２８ｃは、ＳＴ３に停止機能により再生を終了する（ステップＳ０８，ステップＳ０９）。
【００３４】
ディスプレイ８の方向センサ８ａにより、ディスプレイ８が反転状態であることが検出されると（ステップＳ０３ＹＥＳ）、反転状態のディスプレイ８の表示画面８ｂ、縦軸タッチセンサ１３ａ、横軸タッチセンサ１３ｂのセンシングエリアを表示させる（ステップＳ０６）。図６は、ディスプレイ８が反転状態の表示画面８ｂを示したものである。図６に示すように、アイコン２８ａは、ＳＴ１に停止機能を、アイコン２８ｃは、ＳＴ３にチャプター戻し機能を、アイコン２８ｂは、ＳＴ２にチャプター送り機能を、アイコン２８ｉは、ＳＴ９に早戻し機能を、アイコン２８ｈは、ＳＴ８に一時停止機能を、アイコン２８ｇは、ＳＴ７に早送り機能を割り振られている。Ｓ０７，Ｓ０８，Ｓ０９の各同動作は、反転状態の表示画面８ｂのアイコンに基づいて行われる。
【００３５】
このように、ディスプレイ８が通常状態、反転状態での表示画面８ｂのアイコンの割り振りの位置関係を整合させることで、感覚的にも違和感なく操作が可能で、利便性のよいビデオカメラが提供できる。
【００３６】
なお、本実施例１の縦軸タッチセンサ１３ａ、横軸タッチセンサ１３ｂを用いる操作では、操作対象物を例えばジョイスティックのように表示画面上をダイレクトに斜め方向に操作移動させることはできない。そのため、画面上斜め方向に操作させたい機能の場合には、縦軸タッチセンサ１３ａ、横軸タッチセンサ１３ｂのいずれかのセンシングエリアＳＴ１〜ＳＴ５、センシングエリアＳＴ６〜ＳＴ１０の１つを用いて図４に示すサムネイル画像を■→■→■→■→■→■→■→■→■と移動するよう操作させてもよ
い。
【００３７】
＜実施例２＞
近年、ビデオカメラの撮像においては、シネマモード、あるいはＨＤＴＶ（High Definition Television）方式に対応させて、ビデオカメラ１の画面表示のアスペクト比を１６：９を、画面表示のアスペクト比を４：３の方式の映像信号と切り替えて撮像できるようにしたものがある。
【００３８】
表示画面８ｂに１６：９と４：３とのアスペクト比の画像を表示させるには、どちらかの方式のときに画像の表示の一部を非表示として、その方式に基づいたアスペクト比の画像を表示させるようにしている。本実施例２では、ビデオカメラ１の表示画面８ｂをアスペクト比１６：９として、アスペクト比をから４：３に変更して表示する場合を例にとり説明する。説明のために、いずれも通常状態であるものとする。ビデオカメラのブロック構成、表示画面の反転状態に関しては、それぞれ実施例１と同様に動作する。
【００３９】
図８に、アスペクト比１６：９の場合の通常状態でのディスプレイ８の表示例を示す。図８は、録画モードを例に説明を行う。アイコン２８ｆ〜２８ｊに、センシングエリアＳＴ６〜ＳＴ１０をそれぞれ対応させている。アスペクト比１６：９のときには、表示画面８ｂに録画する画像が横幅一杯に表示されるので、アイコン２８ｆ〜２８ｊに対する、センシングエリアＳＴ６〜ＳＴ１０の配置は図８に示すように上下方向に、ほぼ同じ位置に合致している。
【００４０】
図９に、同じ被写体をアスペクト比４：３で撮像する場合の通常状態でのディスプレイ８の表示例を示す。図８と同様、アイコン２８ｆ〜２８ｊに、センシングエリアＳＴ６〜ＳＴ１０をそれぞれ対応させている。アスペクト比４：３のときには、表示画面８ｂに録画する画像はアスペクト比１６：９のときと比べて、横幅が短く表示されるので、アイコン２８ｆ〜２８ｊに対する、センシングエリアＳＴ６〜ＳＴ１０の配置は図９に示すように上下方向に、同じ位置とはならない。
【００４１】
そこで、図９に示すように、アイコン２８ｆ〜２８ｊは表示画面の範囲に対応して等分割に表示させる。上述のように、センシングエリアＳＴ６〜ＳＴ１０の配置は上下方向に、同じ位置とはならないので、ガイドのための施線８ｅを表示画面８ｂ上にアイコン２８ｆ〜２８ｊと共に表示させる。このようにすることにより、アスペクト比４：３のときにも、アイコン２８ｆ〜２８ｊに対する、センシングエリアＳＴ６〜ＳＴ１０の対応が明確になる。
【００４２】
なお、上述の説明では、アスペクト比４：３のときのみ、ガイドのための施線８ｅを表示画面８ｂに表示させたが、アスペクト比１６：９のときにも表示させるように構成してもよい。また、縦軸タッチセンサ１３ａ、横軸タッチセンサ１３ｂの片方、両方いずれに表示させるよう構成してもよく、通常状態、反転状態を切り替えた場合に表示させるよう構成してもよい。
【００４３】
なお、上述の説明では、ガイドのための施線８ｅを表示画面８ｂに表示させたが、図１０に示すように、ディスプレイ８の表示画面８ｂと各センシングエリアとの間隙にガイドのための施線８ｆを設ける構成としてもよい。その場合、特に図１０に示すように、通常状態、反転状態を切り替えた場合にも対応可能なように、センシングエリアＳＴ２，ＳＴ３，ＳＴ４，ＳＴ７，ＳＴ８，ＳＴ９のみに設ける構成としてもよい。また、ガイドのための施線８ｅ、ガイドのための施線８ｆ両方を設ける構成としてもよい。
【００４４】
なお、上述の各実施例では、ディスプレイ８の表示画面８ｂを通常状態、反転状態で表示を最適化する例を説明したが、撮像するアングルによって、すなわち、ディスプレイ８の通常状態の中で、あるいは、反転状態の中でディスプレイ８が第２の回動軸２ａ上どの角度にあるかを検出して、ディスプレイ８の表示画面８ｂに表示するアイコン、及び対応するセンシングエリアの位置を撮像するアングルに最適化する構成としてもよい。例えば、撮像中で、ユーザが頭上にビデオカメラ１を掲げているような場合は、センシングエリアＳＴ６〜ＳＴ１０のいずれかに記録停止を、ユーザが足元にビデオカメラ１を掲げているような場合は、センシングエリアＳＴ１に記録停止を配置する。これにより、次に操作される可能性の高い機能のイコン、及び対応するセンシングエリアの位置をユーザに最も近い位置に配置することができる。
【００４５】
なお、上述の各実施例では、縦軸タッチセンサ１３ａ、横軸タッチセンサ１３ｂを面で構成されたタッチセンサを用いたが、予めタッチセンサエリアを分割した複数のタッチセンサを用いて構成してもよい。縦軸タッチセンサ１３ａ、横軸タッチセンサ１３ｂ両方に用いてもよいし、片方のみに用いてもよい。
図１１に、横軸タッチセンサ１３ｂを分割されたタッチセンサを複数用いて構成した例を示す。この場合、操作は面で構成されたタッチセンサと同様であるが、各センシングエリアＳＴ６〜ＳＴ１０が独立しており、操作部が明確になると共に、触れる、または、一定時間以上長く触れる、順次触れる、いわゆるなぞるといったタッチセンサ特有の操作が可能となる。
【図面の簡単な説明】
【００４６】
【図１】本発明の実施例に適用されるビデオカメラの構成を示すブロック図である。
【図２】本発明実施例におけるビデオカメラの外観の一例を示す図である。
【図３】本発明実施例におけるディスプレイの表示形態の一例を示す図である。
【図４】本発明に係るビデオカメラが再生状態であるときをディスプレイの表示例を示す。
【図５】本発明に係るビデオカメラが再生状態であるときをディスプレイの表示例を示す。（通常状態）
【図６】本発明に係るビデオカメラが再生状態であるときをディスプレイの表示例を示す。（反転状態）
【図７】本発明に係るビデオカメラが再生状態であるときの動作を説明するためのフローチャートである。
【図８】本発明に係るビデオカメラが撮像状態であるときをディスプレイの表示例を示す。（アスペクト比１６：９）
【図９】本発明に係るビデオカメラが撮像状態であるときをディスプレイの表示例を示す。（アスペクト比４：３）
【図１０】本発明実施例における表示画面上のガイドのための施線を説明する図である。
【図１１】本発明実施例におけるディスプレイ上のガイドのための施線を説明する図である。
【図１２】従来のビデオカメラにおけるディスプレイを説明する図である。
【符号の説明】
【００４７】
１…ビデオカメラ
２…光学系
３…画像処理部
４…カメラ部
５…メモリスロット
６…ＨＤＤ
７…映像Ｉ／Ｆ
８…ディスプレイ
８ａ…方向センサ
９…外部入出力端子
１０…ＣＰＵ
１１…動画処理部
１２ａ，１２ｂ…ＳＤＲＡＭ
１３ａ…縦軸タッチセンサ
１３ｂ…横軸タッチセンサ
１４…ＥＥＰＲＯＭ
【図１】
0005003477.tif 000002
【図２】
0005003477.tif 000003
【図３】
0005003477.tif 000004
【図４】
0005003477.tif 000005
【図５】
0005003477.tif 000006
【図６】
0005003477.tif 000007
【図７】
0005003477.tif 000008
【図８】
0005003477.tif 000009
【図９】
0005003477.tif 000010
【図１０】
0005003477.tif 000011
【図１１】
0005003477.tif 000012
【図１２】
0005003477.tif 000013